(57)【特許請求の範囲】
【請求項１】
Ｎ個（Ｎは１以上の整数）のアンテナ素子からなるアレーアンテナと、前記アンテナ素子にて受信された信号の受信処理を行うＮ個の無線受信部と、前記アンテナ素子にて受信された信号にキャリブレーション信号を多重して前記無線受信部に出力し、前記無線受信部から出力された信号から前記キャリブレーション信号を抽出し、抽出されたキャリブレーション信号に基づいて、前記アンテナ素子にて受信された信号の振幅及び位相情報を検出するキャリブレーション手段と、前記キャリブレーション手段にて検出された振幅及び位相情報に基づいて、前記無線受信部から出力された信号を補正して復調信号として出力するＭ個（Ｍは１以上の整数）のユーザ信号処理部とを有してなるアレーアンテナ受信装置において、
前記キャリブレーション手段は、前記無線受信部から出力された信号から抽出されたキャリブレーション信号の電力レベルに基づいて決定される電力レベルで前記キャリブレーション信号を前記アンテナ素子にて受信された信号に多重することを特徴とするアレーアンテナ受信装置。
【請求項２】
請求項１に記載のアレーアンテナ受信装置において、
前記キャリブレーション手段は、
前記アンテナ素子にて受信された信号にキャリブレーション信号を多重するＮ個の多重回路と、
前記キャリブレーション信号を生成するキャリブレーション用信号発生器と、
前記キャリブレーション用信号発生器にて生成されたキャリブレーション信号を、前記アンテナ素子にて受信された信号の周波数と同一の周波数帯域を具備するキャリブレーション信号に周波数変換して出力するキャリブレーション用信号無線送信部と、
前記無線受信部から出力された信号から前記キャリブレーション信号を抽出し、抽出されたキャリブレーション信号に基づいて、前記アンテナ素子にて受信された信号の振幅及び位相情報を検出するとともに、前記無線受信部から出力された信号の電力レベルに基づいて前記キャリブレーション信号の電力レベルを制御するための制御信号を出力するキャリブレーション用信号処理部と、
前記キャリブレーション用信号無線送信部から出力されたキャリブレーション信号を前記キャリブレーション用信号処理部から出力された制御信号に基づく電力レベルで出力するＮ個の電力レベル可変回路とを有し、
前記電力レベル可変回路から出力されたキャリブレーション信号が前記多重回路において前記アンテナ素子にて受信された信号に多重されることを特徴とするアレーアンテナ受信装置。
【請求項３】
請求項１に記載のアレーアンテナ受信装置において、
前記キャリブレーション手段は、
前記アンテナ素子にて受信された信号にキャリブレーション信号を多重するＮ個の多重回路と、
前記キャリブレーション信号を生成するキャリブレーション用信号発生器と、
前記キャリブレーション用信号発生器にて生成されたキャリブレーション信号を、前記アンテナ素子にて受信された信号の周波数と同一の周波数帯域を具備するキャリブレーション信号に周波数変換して出力するキャリブレーション用信号無線送信部と、
前記無線受信部から出力された信号から前記キャリブレーション信号を抽出し、抽出されたキャリブレーション信号に基づいて、前記アンテナ素子にて受信された信号の振幅及び位相情報を検出するとともに、前記無線受信部から出力された信号の電力レベルに基づいて前記キャリブレーション信号の電力レベルを制御するための制御信号を出力するキャリブレーション用信号処理部と、
前記キャリブレーション用信号無線送信部から出力されたキャリブレーション信号を前記キャリブレーション用信号処理部から出力された制御信号に基づく電力レベルで出力するＫ個（Ｋは１以上Ｎ未満の整数）の電力レベル可変回路と、
前記電力レベル可変回路から出力されたキャリブレーション信号を選択し、前記Ｎ個の多重回路に分配して出力する選択／分配回路とを有し、前記選択／分配回路から出力されたキャリブレーション信号が前記多重回路において前記アンテナ素子にて受信された信号に多重されることを特徴とするアレーアンテナ受信装置。
【請求項４】
請求項２または請求項３に記載のアレーアンテナ受信装置において、
前記キャリブレーション用信号処理部は、前記無線受信部から出力された信号から抽出されたキャリブレーション信号の電力レベルが一定となるような制御信号を出力することを特徴とするアレーアンテナ受信装置。
【請求項５】
請求項４に記載のアレーアンテナ受信装置において、
前記キャリブレーション用信号処理部は、前記無線受信部から出力された信号から抽出されたキャリブレーション信号のビット誤り率を用いて、前記無線受信部から出力された信号と該信号から抽出されたキャリブレーション信号との比を認識することを特徴とするアレーアンテナ受信装置。
【請求項６】
Ｎ個（Ｎは１以上の整数）のアンテナ素子からなるアレーアンテナと、前記アンテナ素子にて受信された信号の受信処理を行うＮ個の無線受信部と、前記アンテナ素子にて受信された信号にキャリブレーション信号を多重して前記無線受信部に出力し、前記無線受信部から出力された信号から前記キャリブレーション信号を抽出し、抽出されたキャリブレーション信号に基づいて、前記アンテナ素子にて受信された信号の振幅及び位相情報を検出するキャリブレーション手段と、前記キャリブレーション手段にて検出された振幅及び位相情報に基づいて、前記無線受信部から出力された信号を補正して復調信号として出力するＭ個（Ｍは１以上の整数）のユーザ信号処理部とを有してなるアレーアンテナ受信装置において、
前記キャリブレーション手段は、前記アンテナ素子にて受信された信号の電力レベルに基づいて決定される電力レベルで前記キャリブレーション信号を前記アンテナ素子にて受信された信号に多重することを特徴とするアレーアンテナ受信装置。
【請求項７】
請求項６に記載のアレーアンテナ受信装置において、
前記キャリブレーション手段は、
前記アンテナ素子にて受信された信号にキャリブレーション信号を多重するＮ個の多重回路と、
前記キャリブレーション信号を生成するキャリブレーション用信号発生器と、
前記キャリブレーション用信号発生器にて生成されたキャリブレーション信号を、前記アンテナ素子にて受信された信号の周波数と同一の周波数帯域を具備するキャリブレーション信号に周波数変換して出力するキャリブレーション用信号無線送信部と、
前記無線受信部から出力された信号から前記キャリブレーション信号を抽出し、抽出されたキャリブレーション信号に基づいて、前記アンテナ素子にて受信された信号の振幅及び位相情報を検出するとともに、前記アンテナ素子にて受信された信号の電力レベルに基づいて前記キャリブレーション信号の電力レベルを制御するための制御信号を出力するキャリブレーション用信号処理部と、
前記キャリブレーション用信号無線送信部から出力されたキャリブレーション信号を前記キャリブレーション用信号処理部から出力された制御信号に基づく電力レベルで出力するＮ個の電力レベル可変回路とを有し、
前記電力レベル可変回路から出力されたキャリブレーション信号が前記多重回路において前記アンテナ素子にて受信された信号に多重されることを特徴とするアレーアンテナ受信装置。
【請求項８】
請求項６に記載のアレーアンテナ受信装置において、
前記キャリブレーション手段は、
前記アンテナ素子にて受信された信号にキャリブレーション信号を多重するＮ個の多重回路と、
前記キャリブレーション信号を生成するキャリブレーション用信号発生器と、
前記キャリブレーション用信号発生器にて生成されたキャリブレーション信号を、前記アンテナ素子にて受信された信号の周波数と同一の周波数帯域を具備するキャリブレーション信号に周波数変換して出力するキャリブレーション用信号無線送信部と、
前記無線受信部から出力された信号から前記キャリブレーション信号を抽出し、抽出されたキャリブレーション信号に基づいて、前記アンテナ素子にて受信された信号の振幅及び位相情報を検出するとともに、前記アンテナ素子にて受信された信号の電力レベルに基づいて前記キャリブレーション信号の電力レベルを制御するための制御信号を出力するキャリブレーション用信号処理部と、
前記キャリブレーション用信号無線送信部から出力されたキャリブレーション信号を前記キャリブレーション用信号処理部から出力された制御信号に基づく電力レベルで出力するＫ個（Ｋは１以上Ｎ未満の整数）の電力レベル可変回路と、
前記電力レベル可変回路から出力されたキャリブレーション信号を選択し、前記Ｎ個の多重回路に分配して出力する選択／分配回路とを有し、
前記選択／分配回路から出力されたキャリブレーション信号が前記多重回路において前記アンテナ素子にて受信された信号に多重されることを特徴とするアレーアンテナ受信装置。
【請求項９】
請求項７または請求項８に記載のアレーアンテナ受信装置において、
前記キャリブレーション用信号処理部は、前記アンテナ素子にて受信された信号の電力レベルと前記電力レベル可変回路から出力されるキャリブレーション信号の電力レベルとの比が一定となるような制御信号を出力することを特徴とするアレーアンテナ受信装置。
【請求項１０】
Ｎ個（Ｎは１以上の整数）のアンテナ素子からなるアレーアンテナと、前記アンテナ素子にて受信された信号の受信処理を行うＮ個の無線受信部と、前記アンテナ素子にて受信された信号にキャリブレーション信号を多重して前記無線受信部に出力し、前記無線受信部から出力された信号から前記キャリブレーション信号を抽出し、抽出されたキャリブレーション信号に基づいて、前記アンテナ素子にて受信された信号の振幅及び位相情報を検出するキャリブレーション手段と、前記キャリブレーション手段にて検出された振幅及び位相情報に基づいて、前記無線受信部から出力された信号を補正して復調信号として出力するＭ個（Ｍは１以上の整数）のユーザ信号処理部とを有してなるアレーアンテナ受信装置において、
前記キャリブレーション手段は、
前記アンテナ素子にて受信された信号にキャリブレーション信号を多重するＮ個の多重回路と、
前記キャリブレーション信号を生成するキャリブレーション用信号発生器と、
前記キャリブレーション用信号発生器にて生成されたキャリブレーション信号を、前記アンテナ素子にて受信された信号の周波数と同一の周波数帯域を具備するキャリブレーション信号に周波数変換して出力するキャリブレーション用信号無線送信部と、
前記無線受信部から出力された信号から前記キャリブレーション信号を抽出し、抽出されたキャリブレーション信号に基づいて、前記アンテナ素子にて受信された信号の振幅及び位相情報を検出するとともに、前記多重回路から出力された信号の電力レベルに基づいて前記キャリブレーション信号の電力レベルを制御するための制御信号を出力するキャリブレーション用信号処理部と、
前記キャリブレーション用信号無線送信部から出力されたキャリブレーション信号を前記キャリブレーション用信号処理部から出力された制御信号に基づく電力レベルで出力するＮ個の電力レベル可変回路とを有し、
前記電力レベル可変回路から出力されたキャリブレーション信号が前記多重回路において前記アンテナ素子にて受信された信号に多重されることを特徴とするアレーアンテナ受信装置。
【請求項１１】
Ｎ個（Ｎは１以上の整数）のアンテナ素子からなるアレーアンテナと、前記アンテナ素子にて受信された信号の受信処理を行うＮ個の無線受信部と、前記アンテナ素子にて受信された信号にキャリブレーション信号を多重して前記無線受信部に出力し、前記無線受信部から出力された信号から前記キャリブレーション信号を抽出し、抽出されたキャリブレーション信号に基づいて、前記アンテナ素子にて受信された信号の振幅及び位相情報を検出するキャリブレーション手段と、前記キャリブレーション手段にて検出された振幅及び位相情報に基づいて、前記無線受信部から出力された信号を補正して復調信号として出力するＭ個（Ｍは１以上の整数）のユーザ信号処理部とを有してなるアレーアンテナ受信装置において、
前記キャリブレーション手段は、
前記アンテナ素子にて受信された信号にキャリブレーション信号を多重するＮ個の多重回路と、
前記キャリブレーション信号を生成するキャリブレーション用信号発生器と、
前記キャリブレーション用信号発生器にて生成されたキャリブレーション信号を、前記アンテナ素子にて受信された信号の周波数と同一の周波数帯域を具備するキャリブレーション信号に周波数変換して出力するキャリブレーション用信号無線送信部と、
前記無線受信部から出力された信号から前記キャリブレーション信号を抽出し、抽出されたキャリブレーション信号に基づいて、前記アンテナ素子にて受信された信号の振幅及び位相情報を検出するとともに、前記多重回路から出力された信号の電力レベルに基づいて前記キャリブレーション信号の電力レベルを制御するための制御信号を出力するキャリブレーション用信号処理部と、
前記キャリブレーション用信号無線送信部から出力されたキャリブレーション信号を前記キャリブレーション用信号処理部から出力された制御信号に基づく電力レベルで出力するＫ個（Ｋは１以上Ｎ未満の整数）の電力レベル可変回路と、
前記電力レベル可変回路から出力されたキャリブレーション信号を選択し、前記Ｎ個の多重回路に分配して出力する選択／分配回路とを有し、
前記選択／分配回路から出力されたキャリブレーション信号が前記多重回路において前記アンテナ素子にて受信された信号に多重されることを特徴とするアレーアンテナ受信装置。
【請求項１２】
請求項１０または請求項１１に記載のアレーアンテナ受信装置において、
前記キャリブレーション用信号処理部は、前記多重回路から出力された信号の電力レベルと前記電力レベル可変回路から出力されるキャリブレーション信号の電力レベルとの比が一定となるような制御信号を出力することを特徴とするアレーアンテナ受信装置。
【請求項１３】
請求項１２に記載のアレーアンテナ受信装置において、
前記無線受信部は、出力信号の電力レベルを入力信号の電力レベルによらずに一定とする自動利得制御手段を具備し、前記キャリブレーション用信号処理部は、前記自動利得制御手段における利得情報に基づいて前記多重回路から出力された信号の電力レベルを認識することを特徴とするアレーアンテナ受信装置。
【発明の詳細な説明】
【０００１】
【発明の属する技術分野】
本発明は、アンテナの指向性を制御することによってユーザ干渉を除去するアレーアンテナ受信装置に関し、特に、複数の無線受信部のキャリブレーションを行うアレーアンテナ受信装置に関する。
【０００２】
【従来の技術】
セルラ移動通信システム等においては、信号の高速化及び高品質化、並びに加入者容量の増大を目指し、複数のアンテナ素子から成るアレーアンテナ受信装置を用いて、希望信号到来方向に対しては受信利得を大きくし、他ユーザからの干渉や遅延波による干渉に対しては受信利得を小さくするような受信指向性パターンを形成する方式が検討されている。
【０００３】
ところで、アレーアンテナ受信装置においては、一般に各アンテナ素子に対する無線受信部における振幅変動及び位相変動が個々に異なるため、受信指向性パターン形成時にそれらの振幅変動及び位相変動を補償する必要がある。この操作をキャリブレーションと呼ぶ。
【０００４】
この種のキャリブレーションを行なうアレーアンテナ受信装置においては、例えば、特開平１１−４６１８０号公報に開示されたアレーアンテナ無線受信装置のキャリブレーション装置のように、各無線受信部に既知のキャリブレーション信号を入力して振幅変動及び位相変動を測定することで、補償のための振幅及び位相情報が得られている。
【０００５】
図６は、キャリブレーションを行なう従来のアレーアンテナ受信装置の一構成例を示すブロック図である。
【０００６】
本従来例は図６に示すように、複数のアンテナ素子６０２−１〜６０２−Ｎからなるアレーアンテナ６０１と、アンテナ素子６０２−１〜６０２−Ｎのそれぞれに対応して設けられ、アンテナ素子６０２−１〜６０２−Ｎにて受信された信号にキャリブレーション信号を多重して出力する多重回路６０３−１〜６０３−Ｎと、アンテナ素子６０２−１〜６０２−Ｎのそれぞれに対応して設けられ、多重回路６０３−１〜６０３−Ｎから出力された信号の受信処理を行う無線受信部６０４−１〜６０４−Ｎと、無線受信部６０４−１〜６０４−Ｎから出力された信号が入力され、入力された信号に基づいて、アンテナ素子６０２−１〜６０２−Ｎにて受信された信号の振幅情報及び位相情報を検出する検出回路６１１と、ユーザの数分設けられ、無線受信部６０４−１〜６０４−Ｎから出力された信号を検出回路６１１にて検出された振幅情報及び位相情報を用いて補正し、ユーザ毎の復調信号として出力するユーザ信号処理部６０５−１〜６０５−Ｍと、キャリブレーション信号を生成するキャリブレーション用信号発生器６０７と、キャリブレーション用信号発生器６０７にて生成されたキャリブレーション信号を周波数変換して出力するキャリブレーション用無線送信部６０８と、キャリブレーション用無線送信部６０８から出力されたキャリブレーション信号を任意の電力レベルで出力する電力レベル可変回路６０９とから構成されており、電力レベル可変回路６０９から出力されたキャリブレーション信号が多重回路６０３−１〜６０３−Ｎにてアンテナ素子６０２−１〜６０２−Ｎにて受信された信号に多重される。
【０００７】
アレーアンテナ６０１を構成するアンテナ素子６０２−１〜６０２−Ｎにおいては、アンテナ素子単体での水平面内及び垂直面内指向性に特に制限はなく、例としてはオムニ（無指向性）、ダイポール（双極指向性）が挙げられる。アンテナ素子６０２−１〜６０２−Ｎは、各々のアンテナ素子６０２−１〜６０２−Ｎの受信信号が相関を有するように近接して配置され、希望信号及び複数の干渉信号が多重された信号を受信する。
【０００８】
多重回路６０３−１〜６０３−Ｎにおいては、電力レベル可変回路６０９から出力されたキャリブレーション信号とアンテナ素子６０２−１〜６０２−Ｎにて受信された信号とが、例えば符号多重等によって無線帯域で多重され、無線受信部６０４−１〜６０４−Ｎに対して出力される。なお、ここでの多重方法においては、符号多重には限らない。また、多重回路６０３−１〜６０３−Ｎにて多重されたキャリブレーション信号は抽出可能である。
【０００９】
無線受信部６０４−１〜６０４−Ｎは、ローノイズアンプ、帯域制限フィルタ、ミキサ、局部発信器、ＡＧＣ（Ａｕｔｏ  Ｇａｉｎ  Ｃｏｎｔｒｏｌｌｅｒ）、直交検波器、低域通過フィルタ、アナログ／ディジタル変換器等から構成される。ここで、無線受信部６０４−Ｎを例にとると、多重回路６０３−Ｎから出力された信号が入力され、入力された信号の増幅、無線帯域から基底帯域への周波数変換、直交検波、アナログ／ディジタル変換等が行われ、当該信号がユーザ信号処理部６０５−１〜６０５−Ｍ及び検出回路６１１に対して出力される。一般的には、無線受信部６０４−１〜６０４−Ｎ毎に、出力信号の電力レベルを入力信号の電力レベルによらずに一定とするために非線形回路であるＡＧＣが用いられる。
【００１０】
検出回路６１１においては、無線受信部６０４−１〜６０４−Ｎから出力された信号が入力され、入力された信号からキャリブレーション信号が抽出され、それにより、アンテナ素子６０２−１〜６０２−Ｎにて受信された信号の振幅及び位相情報が検出される。検出された振幅及び位相情報は、信号処理部６０５−１〜６０５−Ｍに対して出力される。ここで、アンテナ素子６０２−１〜６０２−Ｎにて受信された信号の振幅及び位相情報は、無線受信部６０４−１〜６０４−Ｎにおけるキャリブレーション信号の振幅及び位相の変動量を調べることによって検出される。
【００１１】
ユーザ信号処理部６０５−１〜６０５−Ｍにおいては、無線受信部６０４−１〜６０４−Ｎから出力された信号と検出回路６１１にて検出された振幅及び位相情報とが入力され、無線受信部６０４−１〜６０４−Ｎから出力された信号が検出回路６１１にて検出された振幅及び位相情報に基づいて補正され、それにより、各ユーザ毎に、ユーザ信号到来方向に対しては受信利得が大きくなり、他ユーザからの干渉や遅延波による干渉に対しては受信利得が小さくなるような受信指向性パターンが形成され、受信指向性パターンによって受信された復調信号が出力される。
【００１２】
キャリブレーション用信号発生器６０７においては、基底帯域でキャリブレーション信号が生成され、生成されたキャリブレーション信号がキャリブレーション用無線送信部６０８に対して出力される。
【００１３】
キャリブレーション用無線送信部６０８においては、キャリブレーション用信号発生器６０７から出力された基底帯域のキャリブレーション信号が入力され、入力されたキャリブレーション信号に対するディジタル／アナログ変換、基底帯域から無線帯域への周波数変換等が行われ、該キャリブレーション信号がアンテナ素子６０２−１〜６０２−Ｎにて受信された信号と同一周波数帯域を有するキャリブレーション信号として電力レベル可変回路６０９に対して出力される。
【００１４】
電力レベル可変回路６０９においては、キャリブレーション用無線送信部６０８から出力されたキャリブレーション信号が任意の電力レベルで多重回路６０３−１〜６０３−Ｎに対して出力される。
【００１５】
以下に、上記のように構成されたアレーアンテナ受信装置の動作について説明する。
【００１６】
アンテナ素子６０２−１〜６０２−Ｎにて受信された各信号には、希望（ユーザ）信号成分と干渉信号成分、及び熱雑音が含まれている。更に希望信号成分、干渉信号成分それぞれにマルチパス成分が存在する。通常、それらの信号成分は互いに異なる方向から到来する。
【００１７】
図６に示したアレーアンテナ受信装置においては、アンテナ素子６０２−１〜６０２−Ｎにて受信された各信号の振幅及び位相情報を用いて、到来方向の異なる各信号成分が識別され、受信指向性パターンが形成される。
【００１８】
その際、無線受信部６０４−１〜６０４−Ｎに含まれる各回路によって無線受信部６０４−１〜６０４−Ｎ内部において受信信号の振幅や位相が変動した場合、本来のアンテナ素子６０２−１〜６０２−Ｎにて受信された各信号の振幅及び位相情報とは異なった情報がユーザ信号処理部６０５−１〜６０５−Ｍに与えられ、各信号成分を正確に識別し受信指向性パターンを形成することができなくなってしまう。
【００１９】
そこで、アンテナ素子６０２−１〜６０２−Ｎにて受信された信号と同一周波数帯域のキャリブレーション信号を受信信号に多重し、検出回路６１１において無線受信部６０４−１〜６０４−Ｎから出力される信号からキャリブレーション信号を抽出し、該キャリブレーション信号の振幅及び位相の変動に基づいて受信信号の振幅及び位相情報を検出することによって、ユーザ信号処理部６０５−１〜６０５−Ｍに入力された受信信号の振幅及び位相情報に補正を加える。
【００２０】
また、無線受信部６０４−１〜６０４−Ｎに含まれる非線形回路（特にＡＧＣ）においては、受信信号の電力レベルによって受信信号の振幅及び位相の変動の仕方が異なるため、キャリブレーション信号の電力レベルを電力レベル可変回路６０９によって変化させながら無線受信部６０４−１〜６０４−Ｎの各出力のキャリブレーション信号を抽出し、該キャリブレーション信号の振幅及び位相の変動に基づいて受信信号の振幅及び位相情報を検出することによって、各キャリブレーション信号の電力レベル毎に、ユーザ信号処理部６０５−１〜６０５−Ｍに入力された受信信号の振幅及び位相情報に加える補正量を決定する。
【００２１】
このようなキャリブレーション手段を有するアレーアンテナ受信装置においては、アレーアンテナ受信装置の運用時に無線受信部６０４−１〜６０４−Ｎの内部において受信信号の振幅や位相が変動した場合においても、ユーザ信号処理部６０５−１〜６０５−Ｍに入力された受信信号の振幅及び位相情報を補正することができる。また、非運用時には、受信信号の電力レベルに応じた精度の高いキャリブレーションを行うことができる。
【００２２】
このように、本従来例においては、アンテナ素子６０２−１〜６０２−Ｎにて受信された各信号の振幅及び位相情報を用いて、到来方向の異なる各信号成分を正確に識別し、受信指向性パターンを形成することができる。
【００２３】
【発明が解決しようとする課題】
一般に、複数のアンテナ素子を有するアレーアンテナ受信装置においては、運用時には各アンテナ素子毎に受信信号の電力レベルが時間的に変動する。
【００２４】
ここで、上述したような従来のアレーアンテナ受信装置においては、無線受信部内のＡＧＣにおいて、受信信号の電力レベルとキャリブレーション信号の電力レベルとの和が一定になるように増幅率が自動的に制御されているため、受信信号の電力レベルが変動した場合、一定の電力レベルのキャリブレーション信号が無線受信部に入力されたにもかかわらず、無線受信部から出力される信号に含まれるキャリブレーション信号の電力レベルが不定になってしまう。
【００２５】
キャリブレーション時においては、各無線受信部に入力されるキャリブレーション信号と各無線受信部から出力される信号に含まれるキャリブレーション信号とが比較されることにより、各無線受信部におけるキャリブレーション信号の振幅及び位相変動が検出され、該検出結果に基づいて、アンテナ素子６０２−１〜６０２−Ｎにて受信された信号の振幅及び位相情報が検出される。
【００２６】
ところが、上述したように各無線受信部から出力される信号に含まれるキャリブレーション信号の電力レベルが不定になってしまうと、各無線受信部におけるキャリブレーション信号の振幅及び位相変動を正確に検出することができず、精度の高いキャリブレーションを行うことができなうなってしまう。
【００２７】
本発明は、上述したような従来の技術が有する問題点に鑑みてなされたものであって、運用時においても精度の高いキャリブレーションを行うことができるアレーアンテナ受信装置を提供することを目的とする。
【００２８】
【課題を解決するための手段】
上記目的を達成するために本発明は、
Ｎ個（Ｎは１以上の整数）のアンテナ素子からなるアレーアンテナと、前記アンテナ素子にて受信された信号の受信処理を行うＮ個の無線受信部と、前記アンテナ素子にて受信された信号にキャリブレーション信号を多重して前記無線受信部に出力し、前記無線受信部から出力された信号から前記キャリブレーション信号を抽出し、抽出されたキャリブレーション信号に基づいて、前記アンテナ素子にて受信された信号の振幅及び位相情報を検出するキャリブレーション手段と、前記キャリブレーション手段にて検出された振幅及び位相情報に基づいて、前記無線受信部から出力された信号を補正して復調信号として出力するＭ個（Ｍは１以上の整数）のユーザ信号処理部とを有してなるアレーアンテナ受信装置において、
前記キャリブレーション手段は、前記無線受信部から出力された信号から抽出されたキャリブレーション信号の電力レベルに基づいて決定される電力レベルで前記キャリブレーション信号を前記アンテナ素子にて受信された信号に多重することを特徴とする。
【００２９】
また、前記キャリブレーション手段は、
前記アンテナ素子にて受信された信号にキャリブレーション信号を多重するＮ個の多重回路と、
前記キャリブレーション信号を生成するキャリブレーション用信号発生器と、前記キャリブレーション用信号発生器にて生成されたキャリブレーション信号を、前記アンテナ素子にて受信された信号の周波数と同一の周波数帯域を具備するキャリブレーション信号に周波数変換して出力するキャリブレーション用信号無線送信部と、
前記無線受信部から出力された信号から前記キャリブレーション信号を抽出し、抽出されたキャリブレーション信号に基づいて、前記アンテナ素子にて受信された信号の振幅及び位相情報を検出するとともに、前記無線受信部から出力された信号の電力レベルに基づいて前記キャリブレーション信号の電力レベルを制御するための制御信号を出力するキャリブレーション用信号処理部と、
前記キャリブレーション用信号無線送信部から出力されたキャリブレーション信号を前記キャリブレーション用信号処理部から出力された制御信号に基づく電力レベルで出力するＮ個の電力レベル可変回路とを有し、
前記電力レベル可変回路から出力されたキャリブレーション信号が前記多重回路において前記アンテナ素子にて受信された信号に多重されることを特徴とする。
【００３０】
また、前記キャリブレーション手段は、
前記アンテナ素子にて受信された信号にキャリブレーション信号を多重するＮ個の多重回路と、
前記キャリブレーション信号を生成するキャリブレーション用信号発生器と、
前記キャリブレーション用信号発生器にて生成されたキャリブレーション信号を、前記アンテナ素子にて受信された信号の周波数と同一の周波数帯域を具備するキャリブレーション信号に周波数変換して出力するキャリブレーション用信号無線送信部と、
前記無線受信部から出力された信号から前記キャリブレーション信号を抽出し、抽出されたキャリブレーション信号に基づいて、前記アンテナ素子にて受信された信号の振幅及び位相情報を検出するとともに、前記無線受信部から出力された信号の電力レベルに基づいて前記キャリブレーション信号の電力レベルを制御するための制御信号を出力するキャリブレーション用信号処理部と、
前記キャリブレーション用信号無線送信部から出力されたキャリブレーション信号を前記キャリブレーション用信号処理部から出力された制御信号に基づく電力レベルで出力するＫ個（Ｋは１以上Ｎ未満の整数）の電力レベル可変回路と、
前記電力レベル可変回路から出力されたキャリブレーション信号を選択し、前記Ｎ個の多重回路に分配して出力する選択／分配回路とを有し、
前記選択／分配回路から出力されたキャリブレーション信号が前記多重回路において前記アンテナ素子にて受信された信号に多重されることを特徴とする。
【００３１】
また、前記キャリブレーション用信号処理部は、前記無線受信部から出力された信号から抽出されたキャリブレーション信号の電力レベルが一定となるような制御信号を出力することを特徴とする。
【００３２】
また、前記キャリブレーション用信号処理部は、前記無線受信部から出力された信号から抽出されたキャリブレーション信号のビット誤り率を用いて、前記無線受信部から出力された信号と該信号から抽出されたキャリブレーション信号との比を認識することを特徴とする。
【００３３】
また、Ｎ個（Ｎは１以上の整数）のアンテナ素子からなるアレーアンテナと、前記アンテナ素子にて受信された信号の受信処理を行うＮ個の無線受信部と、前記アンテナ素子にて受信された信号にキャリブレーション信号を多重して前記無線受信部に出力し、前記無線受信部から出力された信号から前記キャリブレーション信号を抽出し、抽出されたキャリブレーション信号に基づいて、前記アンテナ素子にて受信された信号の振幅及び位相情報を検出するキャリブレーション手段と、前記キャリブレーション手段にて検出された振幅及び位相情報に基づいて、前記無線受信部から出力された信号を補正して復調信号として出力するＭ個（Ｍは１以上の整数）のユーザ信号処理部とを有してなるアレーアンテナ受信装置において、
前記キャリブレーション手段は、前記アンテナ素子にて受信された信号の電力レベルに基づいて決定される電力レベルで前記キャリブレーション信号を前記アンテナ素子にて受信された信号に多重することを特徴とする。
【００３４】
また、前記キャリブレーション手段は、
前記アンテナ素子にて受信された信号にキャリブレーション信号を多重するＮ個の多重回路と、
前記キャリブレーション信号を生成するキャリブレーション用信号発生器と、
前記キャリブレーション用信号発生器にて生成されたキャリブレーション信号を、前記アンテナ素子にて受信された信号の周波数と同一の周波数帯域を具備するキャリブレーション信号に周波数変換して出力するキャリブレーション用信号無線送信部と、
前記無線受信部から出力された信号から前記キャリブレーション信号を抽出し、抽出されたキャリブレーション信号に基づいて、前記アンテナ素子にて受信された信号の振幅及び位相情報を検出するとともに、前記アンテナ素子にて受信された信号の電力レベルに基づいて前記キャリブレーション信号の電力レベルを制御するための制御信号を出力するキャリブレーション用信号処理部と、
前記キャリブレーション用信号無線送信部から出力されたキャリブレーション信号を前記キャリブレーション用信号処理部から出力された制御信号に基づく電力レベルで出力するＮ個の電力レベル可変回路とを有し、
前記電力レベル可変回路から出力されたキャリブレーション信号が前記多重回路において前記アンテナ素子にて受信された信号に多重されることを特徴とする。
【００３５】
また、前記キャリブレーション手段は、
前記アンテナ素子にて受信された信号にキャリブレーション信号を多重するＮ個の多重回路と、
前記キャリブレーション信号を生成するキャリブレーション用信号発生器と、
前記キャリブレーション用信号発生器にて生成されたキャリブレーション信号を、前記アンテナ素子にて受信された信号の周波数と同一の周波数帯域を具備するキャリブレーション信号に周波数変換して出力するキャリブレーション用信号無線送信部と、
前記無線受信部から出力された信号から前記キャリブレーション信号を抽出し、抽出されたキャリブレーション信号に基づいて、前記アンテナ素子にて受信された信号の振幅及び位相情報を検出するとともに、前記アンテナ素子にて受信された信号の電力レベルに基づいて前記キャリブレーション信号の電力レベルを制御するための制御信号を出力するキャリブレーション用信号処理部と、
前記キャリブレーション用信号無線送信部から出力されたキャリブレーション信号を前記キャリブレーション用信号処理部から出力された制御信号に基づく電力レベルで出力するＫ個（Ｋは１以上Ｎ未満の整数）の電力レベル可変回路と、
前記電力レベル可変回路から出力されたキャリブレーション信号を選択し、前記Ｎ個の多重回路に分配して出力する選択／分配回路とを有し、
前記選択／分配回路から出力されたキャリブレーション信号が前記多重回路において前記アンテナ素子にて受信された信号に多重されることを特徴とする。
【００３６】
また、前記キャリブレーション用信号処理部は、前記アンテナ素子にて受信された信号の電力レベルと前記電力レベル可変回路から出力されるキャリブレーション信号の電力レベルとの比が一定となるような制御信号を出力することを特徴とする。
【００３７】
また、Ｎ個（Ｎは１以上の整数）のアンテナ素子からなるアレーアンテナと、前記アンテナ素子にて受信された信号の受信処理を行うＮ個の無線受信部と、前記アンテナ素子にて受信された信号にキャリブレーション信号を多重して前記無線受信部に出力し、前記無線受信部から出力された信号から前記キャリブレーション信号を抽出し、抽出されたキャリブレーション信号に基づいて、前記アンテナ素子にて受信された信号の振幅及び位相情報を検出するキャリブレーション手段と、前記キャリブレーション手段にて検出された振幅及び位相情報に基づいて、前記無線受信部から出力された信号を補正して復調信号として出力するＭ個（Ｍは１以上の整数）のユーザ信号処理部とを有してなるアレーアンテナ受信装置において、
前記キャリブレーション手段は、
前記アンテナ素子にて受信された信号にキャリブレーション信号を多重するＮ個の多重回路と、
前記キャリブレーション信号を生成するキャリブレーション用信号発生器と、
前記キャリブレーション用信号発生器にて生成されたキャリブレーション信号を、前記アンテナ素子にて受信された信号の周波数と同一の周波数帯域を具備するキャリブレーション信号に周波数変換して出力するキャリブレーション用信号無線送信部と、
前記無線受信部から出力された信号から前記キャリブレーション信号を抽出し、抽出されたキャリブレーション信号に基づいて、前記アンテナ素子にて受信された信号の振幅及び位相情報を検出するとともに、前記多重回路から出力された信号の電力レベルに基づいて前記キャリブレーション信号の電力レベルを制御するための制御信号を出力するキャリブレーション用信号処理部と、
前記キャリブレーション用信号無線送信部から出力されたキャリブレーション信号を前記キャリブレーション用信号処理部から出力された制御信号に基づく電力レベルで出力するＮ個の電力レベル可変回路とを有し、
前記電力レベル可変回路から出力されたキャリブレーション信号が前記多重回路において前記アンテナ素子にて受信された信号に多重されることを特徴とする。
【００３８】
また、Ｎ個（Ｎは１以上の整数）のアンテナ素子からなるアレーアンテナと、前記アンテナ素子にて受信された信号の受信処理を行うＮ個の無線受信部と、前記アンテナ素子にて受信された信号にキャリブレーション信号を多重して前記無線受信部に出力し、前記無線受信部から出力された信号から前記キャリブレーション信号を抽出し、抽出されたキャリブレーション信号に基づいて、前記アンテナ素子にて受信された信号の振幅及び位相情報を検出するキャリブレーション手段と、前記キャリブレーション手段にて検出された振幅及び位相情報に基づいて、前記無線受信部から出力された信号を補正して復調信号として出力するＭ個（Ｍは１以上の整数）のユーザ信号処理部とを有してなるアレーアンテナ受信装置において、
前記キャリブレーション手段は、
前記アンテナ素子にて受信された信号にキャリブレーション信号を多重するＮ個の多重回路と、
前記キャリブレーション信号を生成するキャリブレーション用信号発生器と、
前記キャリブレーション用信号発生器にて生成されたキャリブレーション信号を、前記アンテナ素子にて受信された信号の周波数と同一の周波数帯域を具備するキャリブレーション信号に周波数変換して出力するキャリブレーション用信号無線送信部と、
前記無線受信部から出力された信号から前記キャリブレーション信号を抽出し、抽出されたキャリブレーション信号に基づいて、前記アンテナ素子にて受信された信号の振幅及び位相情報を検出するとともに、前記多重回路から出力された信号の電力レベルに基づいて前記キャリブレーション信号の電力レベルを制御するための制御信号を出力するキャリブレーション用信号処理部と、
前記キャリブレーション用信号無線送信部から出力されたキャリブレーション信号を前記キャリブレーション用信号処理部から出力された制御信号に基づく電力レベルで出力するＫ個（Ｋは１以上Ｎ未満の整数）の電力レベル可変回路と、
前記電力レベル可変回路から出力されたキャリブレーション信号を選択し、前記Ｎ個の多重回路に分配して出力する選択／分配回路とを有し、
前記選択／分配回路から出力されたキャリブレーション信号が前記多重回路において前記アンテナ素子にて受信された信号に多重されることを特徴とする。
【００３９】
また、前記キャリブレーション用信号処理部は、前記多重回路から出力された信号の電力レベルと前記電力レベル可変回路から出力されるキャリブレーション信号の電力レベルとの比が一定となるような制御信号を出力することを特徴とする。
【００４０】
また、前記無線受信部は、出力信号の電力レベルを入力信号の電力レベルによらずに一定とする自動利得制御手段を具備し、
前記キャリブレーション用信号処理部は、前記自動利得制御手段における利得情報に基づいて前記多重回路から出力された信号の電力レベルを認識することを特徴とする。
【００４１】
（作用）
上記のように構成された本発明においては、アンテナ素子にて受信された信号に多重されるキャリブレーション信号が、無線受信部から出力された信号から抽出されたキャリブレーション信号の電力レベルが一定となるような電力レベルで、アンテナ素子にて受信された信号に多重されるので、アンテナ素子にて受信された信号の電力レベルが時間的に変動し、無線受信部において、アンテナ素子にて受信された信号の電力レベルとキャリブレーション信号の電力レベルとの和が一定になるように出力が自動的に制御された場合においても、キャリブレーション手段にて抽出されるキャリブレーション信号の電力レベルが不定となることはなく、それにより、キャリブレーション手段において、無線受信部におけるキャリブレーション信号の振幅及び位相変動が正確に検出され、それに伴って、アンテナ素子にて受信された信号の振幅及び位相情報が正確に検出される。これにより、運用時においても精度の高いキャリブレーションが行われる。
【００４２】
【発明の実施の形態】
以下に、本発明の実施の形態について図面を参照して説明する。
【００４３】
（第１の実施の形態）
図１は、本発明のアレーアンテナ受信装置の第１の実施の形態を示すブロック図である。
【００４４】
本形態は図１に示すように、Ｎ個（Ｎは１以上の整数）のアンテナ素子１０２−１〜１０２−Ｎからなるアレーアンテナ１０１と、アンテナ素子１０２−１〜１０２−Ｎのそれぞれに対応して設けられ、アンテナ素子１０２−１〜１０２−Ｎにて受信された信号にキャリブレーション信号を多重して出力する多重回路１０３−１〜１０３−Ｎと、アンテナ素子１０２−１〜１０２−Ｎのそれぞれに対応して設けられ、多重回路１０３−１〜１０３−Ｎから出力された信号の受信処理を行う無線受信部１０４−１〜１０４−Ｎと、無線受信部１０４−１〜１０４−Ｎから出力された信号が入力され、入力された信号に基づいて、アンテナ素子１０２−１〜１０２−Ｎにて受信された信号の振幅情報及び位相情報を検出するキャリブレーション用信号処理部１０６と、ユーザの数分設けられ、無線受信部１０４−１〜１０４−Ｎから出力された信号をキャリブレーション用信号処理部１０６にて検出された振幅情報及び位相情報を用いて補正し、ユーザ毎の復調信号として出力するＭ個（Ｍは１以上の整数）のユーザ信号処理部１０５−１〜１０５−Ｍと、キャリブレーション信号を生成するキャリブレーション用信号発生器１０７と、キャリブレーション用信号発生器１０７にて生成されたキャリブレーション信号を周波数変換して出力するキャリブレーション用無線送信部１０８と、キャリブレーション用無線送信部１０８から出力されたキャリブレーション信号をキャリブレーション信号処理部１０６にて制御される電力レベルで出力する電力レベル可変回路１０９−１〜１０９−Ｎとから構成されており、電力レベル可変回路１０９−１〜１０９−Ｎから出力されたキャリブレーション信号が多重回路１０３−１〜１０３−Ｎにてアンテナ素子１０２−１〜１０２−Ｎにて受信された信号に多重される。なお、多重回路１０３−１〜１０３−Ｎ、キャリブレーション用信号処理部１０６、キャリブレーション用信号発生器１０７、キャリブレーション用無線送信部１０８及び電力レベル可変回路１０９−１〜１０９−Ｎからキャリブレーション手段が構成される。
【００４５】
アレーアンテナ１０１を構成するアンテナ素子１０２−１〜１０２−Ｎにおいては、アンテナ素子単体での水平面内及び垂直面内指向性に特に制限はなく、例としてはオムニ（無指向性）、ダイポール（双極指向性）が挙げられる。アンテナ素子１０２−１〜１０２−Ｎは、各々のアンテナ素子１０２−１〜１０２−Ｎの受信信号が相関を有するように近接して配置され、希望信号及び複数の干渉信号が多重された信号を受信する。
【００４６】
多重回路１０３−１〜１０３−Ｎにおいては、電力レベル可変回路１０９−１〜１０９−Ｎから出力されたキャリブレーション信号とアンテナ素子１０２−１〜１０２−Ｎにて受信された信号とが無線帯域で多重され、無線受信部１０４−１〜１０４−Ｎに対して出力される。
【００４７】
ここで、多重回路１０３−１〜１０３−Ｎにおける多重方法においては、制限はなく、例としては符号多重が挙げられる。符号多重の場合、多重回路１０３−１〜１０３−Ｎには無線帯域で動作する電力加算器が使用可能である。また、キャリブレーション信号がアンテナ素子から放射されることがないよう、多重回路１０３−１〜１０３−Ｎには方向性結合器を用いることが望ましい。また、多重回路１０３−１〜１０３−Ｎにて多重されたキャリブレーション信号は抽出可能である。
【００４８】
無線受信部１０４−１〜１０４−Ｎは、ローノイズアンプ、帯域制限フィルタ、ミキサ、局部発信器、ＡＧＣ（Ａｕｔｏ  Ｇａｉｎ  Ｃｏｎｔｒｏｌｌｅｒ）、直交検波器、低域通過フィルタ、アナログ／ディジタル変換器等から構成される。ここで、無線受信部１０４−Ｎを例にとると、多重回路１０３−Ｎから出力された信号が入力され、入力された信号の増幅、無線帯域から基底帯域への周波数変換、直交検波、アナログ／ディジタル変換等が行われ、当該信号がユーザ信号処理部１０５−１〜１０５−Ｍ及びキャリブレーション用信号処理部１０６に対して出力される。
【００４９】
ここで、無線受信部１０４−１〜１０４−Ｎの構成に制限はないが、一般的には、各無線受信部１０４−１〜１０４−Ｎ毎に、出力信号の電力レベルを入力信号の電力レベルによらずに一定とするために非線形回路であるＡＧＣが用いられる。
【００５０】
ユーザ信号処理部１０５−１〜１０５−Ｍにおいては、無線受信部１０４−１〜１０４−Ｎから出力された信号とキャリブレーション用信号処理部１０６にて検出された振幅及び位相情報とが入力され、無線受信部１０４−１〜１０４−Ｎから出力された信号がキャリブレーション用信号処理部１０６にて検出された振幅及び位相情報に基づいて補正され、それにより、各ユーザ毎に、ユーザ信号到来方向に対しては受信利得が大きくなり、他ユーザからの干渉や遅延波による干渉に対しては受信利得が小さくなるような受信指向性パターンが形成され、受信指向性パターンによって受信された復調信号が出力される。
【００５１】
ここで、ユーザ信号処理部１０５−１〜１０５−Ｎにおいては、その構成や受信指向性パターン形成のアルゴリズムや無線受信部１０４−１〜１０４−Ｎから出力された信号に対してキャリブレーション用信号処理部１０６にて検出された振幅及び位相情報を用いて補正を行う方法に制限は無い。この補正を行うことによって、アレーアンテナ受信装置の運用時に無線受信部１０４−１〜１０４−Ｎの内部において受信信号の振幅や位相が変動した場合においても、ユーザ信号処理部１０５−１〜１０５−Ｍに入力された信号から、各無線受信部１０４−１〜１０４−Ｎの内部で発生した振幅及び位相変動成分を取り除くことができ、到来方向の異なる各信号成分を正確に識別し、受信指向性パターンを形成することが可能となる。
【００５２】
キャリブレーション用信号処理部１０６においては、無線受信部１０４−１〜１０４−Ｎから出力された信号が入力され、入力された信号からキャリブレーション信号が抽出され、それにより、アンテナ素子１０２−１〜１０２−Ｎにて受信された信号の振幅及び位相情報が検出される。検出された振幅及び位相情報は、信号処理部１０５−１〜１０５−Ｍに対して出力される。ここで、アンテナ素子１０２−１〜１０２−Ｎにて受信された信号の振幅及び位相情報は、無線受信部１０４−１〜１０４−Ｎにおけるキャリブレーション信号の振幅及び位相の変動量を調べることによって検出される。また、無線受信部１０４−１〜１０４−Ｎから出力された信号の電力レベルに基づいて、無線受信部１０４−１〜１０４−Ｎから出力される信号の電力レベルと多重回路１０３−１〜１０３−Ｎに入力されるキャリブレーション信号の電力レベルとの比を一定とするように多重回路１０３−１〜１０３−Ｎに入力されるキャリブレーション信号の電力を制御する制御信号が電力レベル可変回路１０９−１〜１０９−Ｎに対して出力される。
【００５３】
ここで、アレーアンテナ受信装置の運用時においては、各無線受信部１０４−１〜１０４−Ｎ内のＡＧＣによって、無線受信部１０４−１〜１０４−Ｎに入力される信号の電力レベルによらずに出力される信号の電力レベルが一定になるように自動的に制御されている。そのため、各無線受信部１０４−１〜１０４−Ｎから出力される信号に含まれるキャリブレーション信号の電力レベルが一定となり、キャリブレーション信号処理部１０６において各無線受信部１０４−１〜１０４−Ｎにおけるキャリブレーション信号の振幅及び位相変動を正確に検出することができ、それに伴って、アンテナ素子１０２−１〜１０２−Ｎにて受信された信号の振幅及び位相情報を正確に検出することができる。
【００５４】
運用時に各無線受信部１０４−１〜１０４−Ｎの内部で受信信号の振幅や位相が変動した場合、各無線受信部１０４−１〜１０４−Ｎから出力される信号からキャリブレーション信号が抽出され、抽出されたキャリブレーション信号が多重回路１０３−１〜１０３−Ｎに入力されるキャリブレーション信号と比較され、比較結果に基づいて、各無線受信部１０４−１〜１０４−Ｎにおけるキャリブレーション信号の振幅及び位相変動が検出され、該検出結果に基づいて、アンテナ素子１０２−１〜１０２−Ｎにて受信された信号の振幅及び位相情報が検出される。
【００５５】
また、無線受信部１０４−１〜１０４−Ｎ内のＡＧＣが正常に動作している場合は、各無線受信部１０４−１〜１０４−Ｎから出力される信号の電力レベルは一定であるので、キャリブレーション用信号処理部１０６において、無線受信部１０４−１〜１０４−Ｎから出力された信号から抽出されたキャリブレーション信号の電力レベルを一定とするような制御信号を電力レベル可変回路１０９に対して出力する方法もある。
【００５６】
さらに、キャリブレーション用信号処理部１０６において、無線受信部１０４−１〜１０４−Ｎから出力された信号の電力レベルと無線受信部１０４−１〜１０４−Ｎから出力された信号から抽出されたキャリブレーション信号の電力レベルとの比を算出する際に、無線受信部１０４−１〜１０４−Ｎから出力された信号から抽出されたキャリブレーション信号のビット謝り率（ＢＥＲ  ：  Ｂｉｔ  Ｅｒｒｏｒ
Ｒａｔｅ）情報を用いることも可能である。
【００５７】
キャリブレーション信号は既知であるので、キャリブレーション用信号処理部１０６においてキャリブレーション信号のＢＥＲを測定することが可能である。ＢＥＲが大きな場合は、無線受信部１０４−１〜１０４−Ｎから出力される信号の電力レベルと比較して、無線受信部１０４−１〜１０４−Ｎから出力される信号から抽出されたキャリブレーション信号の電力レベルが小さいことを示し、また、ＢＥＲが小さな場合は、無線受信部１０４−１〜１０４−Ｎから出力された信号の電力レベルと比較して、無線受信部１０４−１〜１０４−Ｎから出力された信号から抽出されたキャリブレーション信号の電力レベルが大きいことを示す。したがって、無線受信部１０４−１〜１０４−Ｎから出力された信号から抽出されたキャリブレーション信号のビット謝り率情報から、無線受信部１０４−１〜１０４−Ｎから出力された信号の電力レベルと無線受信部１０４−１〜１０４−Ｎから出力された信号から抽出されたキャリブレーション信号の電力レベルとの比を近似的に算出することができる。
【００５８】
キャリブレーション用信号発生器１０７においては、基底帯域でキャリブレーション信号が生成され、生成されたキャリブレーション信号がキャリブレーション用無線送信部１０８に対して出力される。
【００５９】
キャリブレーション用無線送信部１０８においては、キャリブレーション用信号発生器１０７から出力された基底帯域のキャリブレーション信号が入力され、入力されたキャリブレーション信号に対するディジタル／アナログ変換、基底帯域から無線帯域への周波数変換等が行われ、該キャリブレーション信号がアンテナ素子１０２−１〜１０２−Ｎにて受信された信号と同一周波数帯域を有するキャリブレーション信号として電力レベル可変回路１０９に対して出力される。
【００６０】
電力レベル可変回路１０９−１〜１０９−Ｎにおいては、キャリブレーション用無線送信部１０８から出力されたキャリブレーション信号が、キャリブレーション用信号処理部１０６から出力される制御信号に基づいた電力レベルで多重回路１０３−１〜１０３−Ｎに対して出力される。
【００６１】
上記のように構成されたアレーアンテナ受信装置においては、各アンテナ素子１０２−１〜１０２−Ｎにて受信された信号の電力レベルに応じた電力レベルのキャリブレーション信号が各無線受信部１０４−１〜１０４−Ｎに供給されるため、受信信号の電力レベルが時間的に変動し、各無線受信部１０４−１〜１０４−Ｎ内のＡＧＣによって、受信信号の電力レベルとキャリブレーション信号の電力レベルとの和が一定になるように自動的に出力が制御されても、各無線受信部１０４−１〜１０４−Ｎから出力される信号に含まれるキャリブレーション信号電力レベルを一定に保つことができ、キャリブレーション用信号処理部１０６において、各無線受信部１０４−１〜１０４−Ｎにおけるキャリブレーション信号の振幅及び位相変動を正確に検出することができ、これに伴って、アンテナ素子１０２−１〜１０２−Ｎにて受信された信号の振幅及び位相情報を正確に検出することができる。これにより、運用時においても精度の高いキャリブレーションを行うことができる。
【００６２】
（第２の実施の形態）
図２は、本発明のアレーアンテナ受信装置の第２の実施の形態を示すブロック図である。
【００６３】
本形態は図２に示すように、複数のアンテナ素子２０２−１〜２０２−Ｎからなるアレーアンテナ２０１と、アンテナ素子２０２−１〜２０２−Ｎのそれぞれに対応して設けられ、アンテナ素子２０２−１〜２０２−Ｎにて受信された信号にキャリブレーション信号を多重して出力する多重回路２０３−１〜２０３−Ｎと、アンテナ素子２０２−１〜２０２−Ｎのそれぞれに対応して設けられ、多重回路２０３−１〜２０３−Ｎから出力された信号の受信処理を行う無線受信部２０４−１〜２０４−Ｎと、アンテナ素子２０２−１〜２０２−Ｎにて受信された信号と無線受信部２０４−１〜２０４−Ｎから出力された信号とが入力され、無線受信部２０４−１〜２０４−Ｎから出力された信号に基づいて、アンテナ素子２０２−１〜２０２−Ｎにて受信された信号の振幅情報及び位相情報を検出するキャリブレーション用信号処理部２０６と、ユーザの数分設けられ、無線受信部２０４−１〜２０４−Ｎから出力された信号をキャリブレーション用信号処理部２０６にて検出された振幅情報及び位相情報を用いて補正し、ユーザ毎の復調信号として出力するユーザ信号処理部２０５−１〜２０５−Ｍと、キャリブレーション信号を生成するキャリブレーション用信号発生器２０７と、キャリブレーション用信号発生器２０７にて生成されたキャリブレーション信号を周波数変換して出力するキャリブレーション用無線送信部２０８と、キャリブレーション用無線送信部２０８から出力されたキャリブレーション信号をキャリブレーション信号処理部２０６にて制御される電力レベルで出力する電力レベル可変回路２０９−１〜２０９−Ｎとから構成されており、電力レベル可変回路２０９−１〜２０９−Ｎから出力されたキャリブレーション信号が多重回路２０３−１〜２０３−Ｎにてアンテナ素子２０２−１〜２０２−Ｎにて受信された信号に多重される。
【００６４】
本形態は上述したように、キャリブレーション用信号処理部２０６以外は、第１の実施形態に示したものと同様である。
【００６５】
キャリブレーション用信号処理部２０６においては、アンテナ素子２０２−１〜２０２−Ｎにて受信された信号と無線受信部２０４−１〜２０４−Ｎから出力された信号とが入力され、無線受信部２０４−１〜２０４−Ｎから出力された信号からキャリブレーション信号が抽出され、それにより、アンテナ素子２０２−１〜２０２−Ｎにて受信された信号の振幅及び位相情報が検出される。検出された振幅及び位相情報は、ユーザ信号処理部２０５−１〜２０５−Ｎに対して出力される。ここで、アンテナ素子２０２−１〜２０２−Ｎにて受信された信号の振幅及び位相情報は、無線受信部２０４−１〜２０４−Ｎにおけるキャリブレーション信号の振幅及び位相の変動量を調べることによって検出される。また、アンテナ素子２０２−１〜２０２−Ｎにて受信された信号に基づいて、アンテナ素子２０２−１〜２０２−Ｎにて受信された信号の電力レベルと多重回路２０３−１〜２０３−Ｎに入力されるキャリブレーション信号の電力レベルとの比を一定とするように多重回路２０３−１〜２０３−Ｎに入力されるキャリブレーション信号の電力を制御する制御信号が電力レベル可変回路２０９−１〜２０９−Ｎに対して出力される。
【００６６】
ここで、アンテナ素子２０２−１〜２０２−Ｎにて受信された信号の電力レベルと多重回路２０３−１〜２０３−Ｎに入力されるキャリブレーション信号の電力レベルとの比を一定に保つということは、多重回路２０３−１〜２０３−Ｎから出力される信号に含まれるキャリブレーション信号の電力の割合を一定に保つことであるため、各無線受信部２０４−１〜２０４−Ｎから出力される信号に含まれるキャリブレーション信号の電力レベルを一定にすることになる。このことから、本形態は、原理的には第１の実施の形態と同様であることが分かる。
【００６７】
上記のように構成されたアレーアンテナ装置においては、第１の実施の形態において無線受信部から出力された信号の電力レベルが測定され、該電力レベルに基づいて、多重回路に入力されるキャリブレーション信号の電力が制御されるのに対し、アンテナ素子２０２−１〜２０２−１における受信信号の電力レベルが測定され、該電力レベルに基づいて、多重回路２０３−１〜２０３−Ｎに入力されるキャリブレーション信号の電力が制御されるため、多重回路２０３−１〜２０３−Ｎにてアンテナ素子２０２−１〜２０２−Ｎにて受信された信号とキャリブレーション信号とが多重される前の情報を用いることができ、より精度の高いキャリブレーションを行うことができる。
【００６８】
（第３の実施の形態）
図３は、本発明のアレーアンテナ受信装置の第３の実施の形態を示すブロック図である。
【００６９】
本形態は図３に示すように、複数のアンテナ素子３０２−１〜３０２−Ｎからなるアレーアンテナ３０１と、アンテナ素子３０２−１〜３０２−Ｎのそれぞれに対応して設けられ、アンテナ素子３０２−１〜３０２−Ｎにて受信された信号にキャリブレーション信号を多重して出力する多重回路３０３−１〜３０３−Ｎと、アンテナ素子３０２−１〜３０２−Ｎのそれぞれに対応して設けられ、多重回路３０３−１〜３０３−Ｎから出力された信号の受信処理を行う無線受信部３０４−１〜３０４−Ｎと、多重回路３０３−１〜３０３−Ｎから出力された信号と無線受信部３０４−１〜３０４−Ｎから出力された信号とが入力され、無線受信部３０４−１〜３０４−Ｎから出力された信号に基づいて、アンテナ素子３０２−１〜３０２−Ｎにて受信された信号の振幅情報及び位相情報を検出するキャリブレーション用信号処理部３０６と、ユーザの数分設けられ、無線受信部３０４−１〜３０４−Ｎから出力された信号をキャリブレーション用信号処理部３０６にて検出された振幅情報及び位相情報を用いて補正し、ユーザ毎の復調信号として出力するユーザ信号処理部３０５−１〜３０５−Ｍと、キャリブレーション信号を生成するキャリブレーション用信号発生器３０７と、キャリブレーション用信号発生器３０７にて生成されたキャリブレーション信号を周波数変換して出力するキャリブレーション用無線送信部３０８と、キャリブレーション用無線送信部３０８から出力されたキャリブレーション信号をキャリブレーション信号処理部３０６にて制御される電力レベルで出力する電力レベル可変回路３０９−１〜３０９−Ｎとから構成されており、電力レベル可変回路３０９−１〜３０９−Ｎから出力されたキャリブレーション信号が多重回路３０３−１〜３０３−Ｎにてアンテナ素子３０２−１〜３０２−Ｎにて受信された信号に多重される。
【００７０】
本形態は上述したように、キャリブレーション用信号処理部３０６以外は、第１の実施形態に示したものと同様である。
【００７１】
キャリブレーション用信号処理部３０６においては、多重回路３０３−１〜３０３−Ｎから出力された信号と無線受信部３０４−１〜３０４−Ｎから出力された信号とが入力され、無線受信部３０４−１〜３０４−Ｎから出力された信号からキャリブレーション信号が抽出され、それにより、アンテナ素子３０２−１〜３０２−Ｎにて受信された信号の振幅及び位相情報が検出される。検出された振幅及び位相情報は、ユーザ信号処理部３０５−１〜３０５−Ｎに対して出力される。ここで、アンテナ素子３０２−１〜３０２−Ｎにて受信された信号の振幅及び位相情報は、無線受信部３０４−１〜３０４−Ｎにおけるキャリブレーション信号の振幅及び位相の変動量を調べることによって検出される。また、多重回路３０３−１〜３０３−Ｎから出力された信号の電力レベルに基づいて、多重回路３０３−１〜３０３−Ｎから出力される信号の電力レベルと多重回路３０３−１〜３０３−Ｎに入力されるキャリブレーション信号の電力レベルとの比を一定とするように多重回路３０３−１〜３０３−Ｎに入力されるキャリブレーション信号の電力を制御する制御信号が電力レベル可変回路３０９−１〜３０９−Ｎに対して出力される。
【００７２】
ここで、多重回路３０３−１〜３０３−Ｎから出力される信号の電力レベルから多重回路３０３−１〜３０３−Ｎに入力されるキャリブレーション信号の電力レベルを減算することにより各アンテナ素子３０２−１〜３０２−Ｎにて受信された信号の電力レベルを算出することができるため、本形態は、原理的には第２の実施の形態と同様であることが分かる。
【００７３】
上記のように構成されたアレーアンテナ受信装置においては、第２の実施の形態において各アンテナ素子にて受信された信号の電力レベルが測定され、該電力レベルに基づいて、多重回路に入力されるキャリブレーション信号の電力が制御されるのに対し、多重回路３０３−１〜３０３−Ｎから出力される信号の電力レベル、すなわち、各無線受信部３０４−１〜３０４−Ｎの入力信号の電力レベルが測定され、該電力レベルに基づいて、多重回路３０３−１〜３０３−Ｎに入力されるキャリブレーション信号の電力が制御されている。
【００７４】
ここで、第２の実施の形態にて示したもののように各アンテナ素子にて受信された信号の電力レベルを測定するためには、アンテナ素子の出力と多重回路の入力との間でその電力レベルを測定する必要がある。しかしながら、通常、アンテナ素子と多重回路とが無線受信部から離れた場所に設置される場合が多く、第２の実施の形態に示したものにおいては、アンテナ素子数に対応したＮ本の測定ケーブルの特性のばらつきによる誤差が生じる可能性がある。
【００７５】
これに対して本形態においては、測定対象を各無線受信部の入力信号の電力レベルとしたため、測定ケーブルの長さを短くすることができ、特性のばらつきを抑えることができる。
【００７６】
（第４の実施の形態）
図４は、本発明のアレーアンテナ受信装置の第４の実施の形態を示すブロック図である。
【００７７】
本形態は図４に示すように、複数のアンテナ素子４０２−１〜４０２−Ｎからなるアレーアンテナ４０１と、アンテナ素子４０２−１〜４０２−Ｎのそれぞれに対応して設けられ、アンテナ素子４０２−１〜４０２−Ｎにて受信された信号にキャリブレーション信号を多重して出力する多重回路４０３−１〜４０３−Ｎと、自動利得制御手段であるＡＧＣ（Ａｕｔｏ  Ｇａｉｎ  Ｃｏｎｔｒｏｌｌｅｒ）を含んでアンテナ素子４０２−１〜４０２−Ｎのそれぞれに対応して設けられ、多重回路４０３−１〜４０３−Ｎから出力された信号の受信処理を行うとともに、ＡＧＣにおける増幅率をＡＧＣ制御情報として出力する無線受信部４０４−１〜４０４−Ｎと、無線受信部４０４−１〜４０４−Ｎから出力されたＡＧＣ制御情報と無線受信部４０４−１〜４０４−Ｎから出力された信号とが入力され、無線受信部４０４−１〜４０４−Ｎから出力された信号に基づいて、アンテナ素子４０２−１〜４０２−Ｎにて受信された信号の振幅情報及び位相情報を検出するキャリブレーション用信号処理部４０６と、ユーザの数分設けられ、無線受信部４０４−１〜４０４−Ｎから出力された信号をキャリブレーション用信号処理部４０６にて検出された振幅情報及び位相情報を用いて補正し、ユーザ毎の復調信号として出力するユーザ信号処理部４０５−１〜４０５−Ｍと、キャリブレーション信号を生成するキャリブレーション用信号発生器４０７と、キャリブレーション用信号発生器４０７にて生成されたキャリブレーション信号を周波数変換して出力するキャリブレーション用無線送信部４０８と、キャリブレーション用無線送信部４０８から出力されたキャリブレーション信号をキャリブレーション信号処理部４０６にて制御される電力レベルで出力する電力レベル可変回路４０９−１〜４０９−Ｎとから構成されており、電力レベル可変回路４０９−１〜４０９−Ｎから出力されたキャリブレーション信号が多重回路４０３−１〜４０３−Ｎにてアンテナ素子４０２−１〜４０２−Ｎにて受信された信号に多重される。
【００７８】
本形態は上述したように、無線受信部４０４−１〜４０４−Ｎ及びキャリブレーション用信号処理部４０６以外は、第１の実施の形態に示したものと同様である。
【００７９】
無線受信部４０４−１〜４０４−Ｎは、ローノイズアンプ、帯域制限フィルタ、ミキサ、局部発信器、ＡＧＣ（Ａｕｔｏ  Ｇａｉｎ  Ｃｏｎｔｒｏｌｌｅｒ）、直交検波器、低域通過フィルタ、アナログ／ディジタル変換器等から構成される。ここで、無線受信部４０４−Ｎを例にとると、多重回路４０３−Ｎから出力された信号が入力され、入力された信号の増幅、無線帯域から基底帯域への周波数変換、直交検波、アナログ／ディジタル変換等が行われ、当該信号がユーザ信号処理部４０５−１〜４０５−Ｍ及びキャリブレーション用信号処理部４０６に対して出力される。また、各無線受信部４０４−１〜４０４−Ｎ内に設けられたＡＧＣにおけるＡＧＣ増幅率が制御情報としてキャリブレーション用信号処理部４０６に対して出力される。
【００８０】
キャリブレーション用信号処理部４０６においては、無線受信部４０４−１〜４０４−Ｎから出力されるＡＧＣ制御情報と無線受信部４０４−１〜４０４−Ｎから出力された信号とが入力され、無線受信部４０４−１〜４０４−Ｎから出力された信号からキャリブレーション信号が抽出され、それにより、アンテナ素子４０２−１〜４０２−Ｎにて受信された信号の振幅及び位相情報が検出され、検出された振幅及び位相情報がユーザ信号処理部４０５−１〜４０５−Ｎに対して出力される。また、無線受信部４０４−１〜４０４−Ｎから出力された信号の電力レベルと無線受信部４０４−１〜４０４−Ｎから出力されたＡＧＣ制御情報とに基づいて、無線受信部４０４−１〜４０４−Ｎに入力される信号の電力レベルが近似的に算出され、無線受信部４０４−１〜４０４−Ｎに入力される信号の電力レベルと無線受信部４０４−１〜４０４−Ｎに入力されるキャリブレーション信号の電力レベルとの比を一定とするように多重回路４０３−１〜４０３−Ｎに入力されるキャリブレーション信号の電力を制御する制御信号が電力レベル可変回路４０９−１〜４０９−Ｎに対して出力される。
【００８１】
ここで、無線受信部４０４−１〜４０４−Ｎから出力されるＡＧＣ制御情報においては、無線受信部４０４−１〜４０４−Ｎに入力される信号の電力レベルに応じて、入力電力レベルが小さな場合にはＡＧＣの増幅率を上げ、入力電力レベルが大きな場合にはＡＧＣの増幅率を下げるような情報であることから、無線受信部４０４−１〜４０４−Ｎから出力された信号の電力レベルとＡＧＣ制御情報とに基づいて、無線受信部４０４−１〜４０４−Ｎに入力される信号の電力レベルを近似的に算出することができる。原理的には第３の実施の形態に示したものと同様である。
【００８２】
上記のように構成されたアレーアンテナ受信装置においては、第３の実施の形態において多重回路の出力電力レベル、すなわち、各無線受信部に入力される信号の電力レベルが測定され、該電力レベルに基づいて、多重回路に入力されるキャリブレーション信号の電力が制御されるのに対し、無線受信部４０４−１〜４０４−Ｎから出力されたＡＧＣ制御情報のみが用いられる。このＡＧＣ制御情報はベースバンド信号であるので、直接無線帯域信号である各無線受信部の入力信号を扱う第３の実施の形態と比較して、キャリブレーション用信号処理部の負担を軽減することができる。
【００８３】
（第５の実施の形態）
図５は、本発明のアレーアンテナ受信装置の第５の実施の形態を示すブロック図である。
【００８４】
本形態は図５に示すように、複数のアンテナ素子５０２−１〜５０２−Ｎからなるアレーアンテナ５０１と、アンテナ素子５０２−１〜５０２−Ｎのそれぞれに対応して設けられ、アンテナ素子５０２−１〜５０２−Ｎにて受信された信号にキャリブレーション信号を多重して出力する多重回路５０３−１〜５０３−Ｎと、アンテナ素子５０２−１〜５０２−Ｎのそれぞれに対応して設けられ、多重回路５０３−１〜５０３−Ｎから出力された信号の受信処理を行う無線受信部５０４−１〜５０４−Ｎと、無線受信部５０４−１〜５０４−Ｎから出力された信号が入力され、入力された信号に基づいて、アンテナ素子５０２−１〜５０２−Ｎにて受信された信号の振幅情報及び位相情報を検出するキャリブレーション用信号処理部５０６と、ユーザの数分設けられ、無線受信部５０４−１〜５０４−Ｎから出力された信号をキャリブレーション用信号処理部５０６にて検出された振幅情報及び位相情報を用いて補正し、ユーザ毎の復調信号として出力するユーザ信号処理部５０５−１〜５０５−Ｍと、キャリブレーション信号を生成するキャリブレーション用信号発生器５０７と、キャリブレーション用信号発生器５０７にて生成されたキャリブレーション信号を周波数変換して出力するキャリブレーション用無線送信部５０８と、アンテナ素子５０２−１〜５０２−Ｎよりも少ない数だけ設けられ、キャリブレーション用無線送信部５０８から出力されたキャリブレーション信号をキャリブレーション信号処理部５０６にて制御される電力レベルで出力するＫ個（Ｋは１以上Ｎ未満の整数）の電力レベル可変回路５０９−１〜５０９−Ｋと、電力レベル可変回路５０９−１〜５０９−Ｋから出力されたキャリブレーション信号を選択し、分岐して出力する選択／分岐回路５１０とから構成されており、選択／分岐回路５１０から出力されたキャリブレーション信号が多重回路５０３−１〜５０３−Ｎにてアンテナ素子５０２−１〜５０２−Ｎにて受信された信号に多重される。
【００８５】
本形態は上述したように、電力レベル可変回路５０９−１〜５０９−Ｋ及び選択／分岐回路５１０以外は、第１の実施の形態に示したものと同様である。
【００８６】
電力レベル可変回路５０９−１〜５０９−Ｋにおいては、キャリブレーション用無線送信部５０８から出力された、アンテナ素子５０２−１〜５０２−Ｎにて受信された信号と同一周波数帯域のキャリブレーション信号が入力され、該キャリブレーション信号がキャリブレーション用信号処理部５０６の制御に基づく任意の電力レベルで選択／分配回路５１０に対して出力される。
【００８７】
選択／分配回路５１０においては、電力レベル可変回路５０９−１〜５０９−Ｋから出力されたキャリブレーション信号が入力され、該キャリブレーション信号の選択／分配が行われ、多重回路５０３−１〜５０３−Ｎに対して出力される。
【００８８】
なお、選択／分配回路５１０における選択／分配数及び接続の仕方に制限は無い。具体的には１個の電力レベル可変回路と１入力Ｎ出力の分配器とによる構成が挙げられる。
【００８９】
図５においては、第１の実施の形態に示したものに対応する例を挙げたが、第２〜４の実施の形態に対しても同様に本形態を適用することが可能である。
【００９０】
上記のように構成されたアレーアンテナ受信装置においては、アンテナ素子数より少ない数の電力レベル可変回路を用いることで、第１〜第４の実施の形態に示したものと比較して、アレーアンテナ受信装置の構成を簡略化することができる。
【００９１】
上述した第１〜第４の実施の形態を任意に組み合わせることで、各アンテナ素子にて受信された信号の電力レベルに応じたキャリブレーション信号の電力レベルの精度を向上させることが可能であり、それらも本発明に含まれる。なお、実施の形態の組み合わせに制限はない。
【００９２】
また、本発明においては、無線伝送方式に制限はなく、例としては符号分割多重接続（ＣＤＭＡ）方式が挙げられる。
【００９３】
また、本発明においては、アンテナの素子数及びアンテナ素子の配置に制限はなく、アンテナ素子の配置の例としては搬送波の半波長間隔の直線配置が挙げられる。
【００９４】
また、本発明においては、同時に受信するユーザの数及び同時に受信するユーザあたりのマルチパスの数に制限はない。
【００９５】
また、本発明においては、ユーザ信号処理部の構成、受信指向性パターン形成のアルゴリズム、各無線受信部の出力に対して個々のアンテナ素子における振幅及び位相情報を用いて補正を行う方法に制限はない。
【００９６】
【発明の効果】
以上説明したように本発明においては、アンテナ素子にて受信された信号に多重されるキャリブレーション信号が、無線受信部から出力された信号から抽出されたキャリブレーション信号の電力レベルが一定となるような電力レベルで、アンテナ素子にて受信された信号に多重される構成としたため、アンテナ素子にて受信された信号の電力レベルが時間的に変動し、無線受信部において、アンテナ素子にて受信された信号の電力レベルとキャリブレーション信号の電力レベルとの和が一定になるように出力が自動的に制御された場合においても、精度の高いキャリブレーションを行うことができる。
【図面の簡単な説明】
【図１】本発明のアレーアンテナ受信装置の第１の実施の形態を示すブロック図である。
【図２】本発明のアレーアンテナ受信装置の第２の実施の形態を示すブロック図である。
【図３】本発明のアレーアンテナ受信装置の第３の実施の形態を示すブロック図である。
【図４】本発明のアレーアンテナ受信装置の第４の実施の形態を示すブロック図である。
【図５】本発明のアレーアンテナ受信装置の第５の実施の形態を示すブロック図である。
【図６】従来のアレーアンテナ受信装置の一構成例を示すブロック図である。
【符号の説明】
１０１，２０１，３０１，４０１，５０１    アレーアンテナ
１０２−１〜１０２−Ｎ，２０２−１〜２０２−Ｎ，３０２−１〜３０２−Ｎ，４０２−１〜４０２−Ｎ，５０２−１〜５０２−Ｎ    アンテナ素子
１０３−１〜１０３−Ｎ，２０３−１〜２０３−Ｎ，３０３−１〜３０３−Ｎ，４０３−１〜４０３−Ｎ，５０３−１〜５０３−Ｎ    多重回路
１０４−１〜１０４−Ｎ，２０４−１〜２０４−Ｎ，３０４−１〜３０４−Ｎ，４０４−１〜４０４−Ｎ，５０４−１〜５０４−Ｎ    無線受信部
１０５−１〜１０５−Ｍ，２０５−１〜２０５−Ｍ，３０５−１〜３０５−Ｍ，４０５−１〜４０５−Ｍ，５０５−１〜５０５−Ｍ    ユーザ信号処理部
１０６，２０６，３０６，４０６，５０６    キャリブレーション用信号処理部
１０７，２０７，３０７，４０７，５０７    キャリブレーション用信号発生器
１０８，２０８，３０８，４０８，５０８    キャリブレーション用無線送信部
１０９−１〜１０９−Ｎ，２０９−１〜２０９−Ｎ，３０９−１〜３０９−Ｎ，４０９−１〜４０９−Ｎ，５０９−１〜５０９−Ｋ    電力レベル可変回路
５１０    選択／分岐回路
【図１】
0003567976.tif 000002
【図２】
0003567976.tif 000003
【図３】
0003567976.tif 000004
【図４】
0003567976.tif 000005
【図５】
0003567976.tif 000006
【図６】
0003567976.tif 000007